(57)【要約】【課題】設計の自由度の増した表示装置を実現する。【解決手段】電子機器に備えられた表示装置は、映像を表示する表示パネルと、前記表示パネルの前面に重畳して配置され、該表示パネルを保護するカバーパネルと、を備えており、前記カバーパネルは、少なくとも一部に開口部が形成されており、該開口部には所定の情報の入出力を行うためのデバイスが設けられている。【選択図】図１
2020024289.tif 000002
【特許請求の範囲】
【請求項１】
電子機器に備えられた表示装置であって、
前記表示装置は、
映像を表示する表示パネルと、
前記表示パネルの前面に重畳して配置され、該表示パネルを保護するカバーパネルと、を備えており、
前記カバーパネルは、少なくとも一部に開口部が形成されており、該開口部には所定の情報の入出力を行うためのデバイスが設けられている、
ことを特徴とする表示装置。
【請求項２】
前記デバイスは不透明な固定部材によって前記開口部に固定されており、
前記固定部材は、前記デバイスと前記開口部との間の隙間に配置されている、
ことを特徴とする請求項１に記載の表示装置。
【請求項３】
前記表示パネルと前記カバーパネルとが、接着部材によって互いに接着されており、
前記カバーパネルは、前記開口部の周囲に、重畳した前記表示パネルの領域を非表示とする非表示領域を備えており、
前記非表示領域は、少なくとも前記表示パネルと前記カバーパネルとの間に前記接着部材が配置されていない領域を非表示とする、
ことを特徴とする請求項１または２に記載の表示装置。
【請求項４】
前記デバイスは、ユーザの指紋を検出する指紋センサである、
ことを特徴とする請求項１から３のいずれか１項に記載の表示装置。
【請求項５】
請求項１から４のいずれか１項に記載の表示装置を制御する制御装置であって、
前記表示パネルに映像を表示するよう前記表示装置を制御する表示制御処理部を備えている、
ことを特徴とする制御装置。
【請求項６】
前記デバイスとの間で情報の送受信を行い、該デバイスに所定の情報を入出力させる
ことを特徴とする請求項５に記載の制御装置。
【請求項７】
前記表示制御処理部は、前記表示パネルのうち、前記開口部に重畳する領域には映像を表示しないよう前記表示装置を制御する、
ことを特徴とする請求項５または６に記載の制御装置。
【請求項８】
前記表示パネルは、
少なくとも一部に前記開口部が形成されている第１表示領域と、
前記第１表示領域以外の表示領域である、矩形の第２表示領域と、を含み、
前記表示制御処理部は、前記第２表示領域に前記映像を縮小して表示するよう前記表示装置を制御する、
ことを特徴とする請求項５から７のいずれか１項に記載の制御装置。
【請求項９】
少なくとも１つの表示装置と、少なくとも１つの制御装置とを備える電子機器であって、
前記表示装置は、
映像を表示する表示パネルと、
前記表示パネルの前面に重畳して配置され、該表示パネルを保護するカバーパネルと、を備えており、
前記カバーパネルは、少なくとも一部に開口部が形成されており、該開口部には所定の情報の入出力を行う、前記電子機器で使用するデバイスが設けられており、
前記制御装置は、
前記表示パネルに映像を表示するよう制御するとともに前記デバイスから前記情報の入出力を行う、
ことを特徴とする電子機器。
【発明の詳細な説明】
【技術分野】
【０００１】
本発明は電子機器に設けられた表示装置等に関する。
【背景技術】
【０００２】
表示装置を備える電子機器において、該表示装置と同じ側に表示装置とは別のデバイスを設ける構成が従来技術として知られている。例えば、特許文献１には表示ディスプレイを収納する正面側キャビネットの周縁に該表示ディスプレイを覆うカバーパネルを貼り付け、該カバーパネルの領域かつ表示エリア外に押圧式ボタンを配置した構成が開示されている。
【先行技術文献】
【特許文献】
【０００３】
【特許文献１】特開２０１４−９９７０９号公報（２０１４年５月２９日公開）
【発明の概要】
【発明が解決しようとする課題】
【０００４】
しかしながら、前述のような従来技術は表示エリア外に押圧式ボタンを配置する必要があるため、電子機器の外形寸法を大きくできない場合には表示エリアが小さくなってしまうという問題がある。換言すれば、押圧式ボタンを配置するために表示ディスプレイの大きさを制限する必要があった。
【０００５】
本発明の一態様は前記の問題に鑑みてなされたものであり、設計の自由度の増した表示装置等を実現することを目的とする。
【課題を解決するための手段】
【０００６】
前記の課題を解決するために、本発明の一態様に係る表示装置は、電子機器に備えられた表示装置であって、前記表示装置は、映像を表示する表示パネルと、前記表示パネルの前面に重畳して配置され、該表示パネルを保護するカバーパネルと、を備えており、前記カバーパネルは、少なくとも一部に開口部が形成されており、該開口部には所定の情報の入出力を行うためのデバイスが設けられている、構成である。
【０００７】
本発明の一態様に係る電子機器は、少なくとも１つの表示装置と、少なくとも１つの制御装置とを備える電子機器であって、前記表示装置は、映像を表示する表示パネルと、前記表示パネルの前面に重畳して配置され、該表示パネルを保護するカバーパネルと、を備えており、前記カバーパネルは、少なくとも一部に開口部が形成されており、該開口部には所定の情報の入出力を行う、前記電子機器で使用するデバイスが設けられており、前記制御装置は、前記表示パネルに映像を表示するよう制御するとともに前記デバイスから前記情報の入出力を行う、構成である。
【発明の効果】
【０００８】
本発明の一態様によれば、設計の自由度の増した表示装置等を実現することができる。
【図面の簡単な説明】
【０００９】
【図１】本発明の実施形態１に係る電子機器の要部構成の一例を示すブロック図である。
【図２】本発明の実施形態１に係る電子機器における表示パネル、カバーパネル、および開口部の位置関係の概要を示す模式図である。
【図３】本発明の実施形態１に係る電子機器における各種部材の物理的な配置の一例を示す模式図であり、（ａ）はデバイス周辺の断面図を示し、（ｂ）は（ａ）のうち、破線で示した領域Ａの拡大図を示す。
【図４】本発明の実施形態１に係る電子機器においてカバーパネルに設けられる非表示領域の具体例を示す模式図である。
【図５】電子機器における固定部材の別の形状の例を示す模式図である。
【図６】本発明の変形例に係る電子機器において表示パネル内の矩形領域に画像を縮小表示する概要を示す模式図であり、（ａ）は第１表示領域および第２表示領域に画像を表示する例を示し、（ｂ）は第２表示領域に画像を縮小表示する例を示す。
【図７】本発明の変形例に係る電子機器の概要を示す模式図である。
【発明を実施するための形態】
【００１０】
〔実施形態１〕
以下、本発明の一実施形態について、図１〜５を用いて詳細に説明する。
【００１１】
（電子機器の概要）
本実施形態に係る電子機器１の概要について、図２を用いて説明する。図２は、電子機器１における表示パネル１１０、カバーパネル１２０、および開口部１２１の位置関係の概要を示す模式図である。
【００１２】
電子機器１は、映像を表示する表示パネル１１０を備えた、例えばスマートフォンである。そして、電子機器１は表示パネル１１０の前面に重畳して配置され、該表示パネル１１０を保護するカバーパネル１２０を備えている。すなわち、表示パネル１１０は全面がカバーパネル１２０によって保護されている。
【００１３】
カバーパネル１２０は少なくとも一部に開口部１２１が形成されている。そして開口部１２１には電子機器１で使用する所定の情報の入出力を行うデバイス４００が図示しない固定部材によって固定されている。電子機器１はカバーパネル１２０の開口部１２１に設けられたデバイス４００を用いた情報の入出力を、例えば表示パネル１１０による映像の表示と並列に実行することができる。
【００１４】
デバイス４００は表示パネル１１０の上に重畳して配置されるので、デバイス４００の位置や大きさを考慮することなく表示パネル１１０の大きさを決定することができる。例えば電子機器１の一面全体となるような大きさの表示パネル１１０を該電子機器１に用いることができる。
【００１５】
このように、本実施形態に係る電子機器１は、表示パネル１１０の配置等について、設計の自由度を従来の構成よりも高くすることができる。
【００１６】
（電子機器の構成）
本実施形態に係る電子機器１の構成について、図１を用いて説明する。図１は、電子機器１の要部構成の一例を示すブロック図である。
【００１７】
電子機器１は、表示部１００、制御部２００、および入力部３００を備えており、表示部１００は表示パネル１１０、カバーパネル１２０、および接着部材１３０を含んでいる。カバーパネル１２０には開口部１２１が設けられており、該開口部１２１には固定部材１２２およびデバイス４００が設けられている。制御部２００は、表示制御処理部２１０を備えている。
【００１８】
電子機器１は、少なくとも１つの表示部１００と、少なくとも１つの制御部２００とを備える、例えばスマートフォンである。電子機器１はタブレット端末やノートＰＣ等であってもよい。
【００１９】
表示部１００は電子機器１に備えられた表示装置として機能する、例えば液晶ディスプレイである。表示部１００は映像を表示可能な構成であればどのような構成であってもよく、例えば有機ＥＬディスプレイであってもよい。
【００２０】
表示パネル１１０は、表示制御処理部２１０の制御にしたがって映像を表示することができる。表示パネル１１０は、映像を表示することが可能な構成であれば、液晶パネル、あるいは有機ＥＬパネル等の公知の構成であってもよい。
【００２１】
カバーパネル１２０は、表示パネル１１０の前面に重畳して配置され、該表示パネル１１０を保護することができる。表示パネル１１０が表示した映像が見えるように、カバーパネル１２０はガラスやプラスチックといった透明材料から構成されていることが好ましい。カバーパネル１２０は接着部材１３０によって表示パネル１１０の前面に固定されており、該カバーパネル１２０の少なくとも一部には開口部１２１が形成されている。
【００２２】
カバーパネル１２０は、開口部１２１の周囲に、重畳した表示パネル１１０の領域を非表示とする非表示領域１２３を備えている。非表示領域１２３の詳細については後述する。
【００２３】
接着部材１３０は、表示パネル１１０とカバーパネル１２０とを接着することができる。接着部材１３０は、例えばスマートフォンやタブレット端末等において表示パネルの接着に用いられているＯＣＡ（Ｏｐｔｉｃａｌ  Ｃｌｅａｒ  Ａｄｈｅｓｉｖｅ）テープのような、一定の厚みを有し、かつ粘着性を有する透明部材で構成される。
【００２４】
開口部１２１は、カバーパネル１２０の少なくとも一部に形成された開口であり、該開口には固定部材１２２によってデバイス４００が固定されている。開口部１２１の位置や大きさに関する制約は特にないが、表示パネル１１０の映像をユーザに違和感なく表示できるよう、開口部１２１とデバイス４００はカバーパネル１２０の端部付近に設けられることが好ましい。
【００２５】
固定部材１２２は、デバイス４００を開口部１２１に固定する不透明な部材である。固定はどのように行ってもよく、図示しないボンドによるものであってもよいし、ねじ止めや溶接といった方法によるものであってもよい。固定部材１２２は、デバイス４００と開口部１２１との間の隙間に配置されている。不透明な固定部材が隙間に配置されることにより、表示パネル１１０に表示される映像と開口部１２１との境界を明確にすることができる。また、隙間から電子機器１の筐体内部の光が外部に漏れだすことを抑制することができる。
【００２６】
非表示領域１２３は、カバーパネル１２０の少なくとも一部に設けられた領域であり、該非表示領域１２３が重畳した表示パネル１１０の領域を非表示とすることができる。非表示領域１２３は、例えばカバーパネル１２０に黒色印刷として設けられてもよい。また、非表示領域１２３は表示パネル１１０のうち、接着部材１３０が塗布されていない領域を非表示とするように設けられることが好ましい。
【００２７】
デバイス４００は、固定部材１２２によってカバーパネル１２０の開口部１２１内に設けられる、所定の情報の入出力を行うことができる部材である。デバイス４００は、例えばユーザの指紋を検出する指紋センサであってもよく、所定の情報としては該指紋センサが検出した指紋に関するデータ情報であってよく、該データ情報が制御部２００との間で送受信される。
【００２８】
制御部２００は、電子機器１の各部を統括して制御する制御装置として機能する。制御部２００は入力部３００が受け付けたユーザの操作に応じた指示を生成し、該指示に基づいて各部を制御することができる。制御部２００は、デバイス４００との間で情報の送受信を行い、該デバイス４００に所定の情報を入出力させることができる。
【００２９】
表示制御処理部２１０は、制御部２００の指示にしたがって、表示パネル１１０の制御を行うことができる。表示パネル１１０は、表示制御処理部２１０により映像を表示するよう制御される。表示制御処理部２１０は、表示パネル１１０のうち、開口部１２１に重畳する領域には映像を表示しないよう表示部１００を制御するようにしてもよい。
【００３０】
入力部３００は、ユーザの操作を受け付けると、受け付けた操作に応じた信号を制御部２００へ送信する入力装置として機能する。入力部３００は、例えば透明部材による、表示パネル１１０と一体に形成されたタッチパネルであってもよいし、物理的なボタン類であってもよい。
【００３１】
（部材配置の具体例）
本実施形態に係る電子機器１におけるデバイス４００周辺の物理的な配置の具体例について、図３の各図を用いて説明する。図３は電子機器１における各種部材の物理的な配置の一例を示す模式図である。図３の（ａ）はデバイス４００周辺の断面図を示し、図３の（ｂ）は図３の（ａ）のうち、破線で示した領域Ａの拡大図を示す。なお、以下の説明においてカバーパネル１２０の面のうち、外界に接する面を表面とし、接着部材１３０および表示パネル１１０に対向する面を裏面とする。
【００３２】
図３の（ａ）を用いてデバイス４００周辺の部材配置について説明する。電子機器１は、開口部１２１が設けられ、かつ所定の厚みを有するカバーパネル１２０を備えている。開口部１２１にはカバーパネル１２０と略等しい厚みを有する固定部材１２２が埋設され、さらに固定部材１２２にデバイス４００が埋設されている。カバーパネル１２０、固定部材１２２、およびデバイス４００は略面一となるように高さが調整されることが好ましいが、例えば誤操作の発生を抑制するためにデバイス４００が奥まって配置されるように該デバイス４００の厚みおよび埋設の深さを調整してもよい。
【００３３】
また、カバーパネル１２０の少なくとも一部には非表示領域１２３が設けられている。図示の例において、非表示領域１２３はカバーパネル１２０の裏面側、かつ開口部１２１に埋設された固定部材１２２の周縁部に形成されている。
【００３４】
デバイス４００と固定部材１２２との接合、および固定部材１２２とカバーパネル１２０との接合は、接着部材１３０とは別のボンドによってなされている。ボンドは接着部材１３０のように表示パネル１１０に表示される映像に関する光を透過させる必要がないので、部材同士を接合することができるのであれば不透明な材料で構成されていてもよい。
【００３５】
図３の（ｂ）を用いて表示パネル１１０、カバーパネル１２０、非表示領域１２３、および接着部材１３０の詳細な配置について説明する。図示するように、カバーパネル１２０の開口部１２１には固定部材１２２が配置されており、該固定部材１２２にはデバイス４００が埋設されている。また、カバーパネル１２０のうち、固定部材１２２の周縁部には非表示領域１２３が形成されている。
【００３６】
カバーパネル１２０、固定部材１２２、およびデバイス４００はすべて表示パネル１１０の表面側に重畳して配置されており、表示パネル１１０とカバーパネル１２０との間には、２つの接着部材１３０がタッチパネルである入力部３００を挟み込んだ状態で配置されている。これにより、表示パネル１１０、カバーパネル１２０、および入力部３００は、接着部材１３０によって互いに固定して配置されている。
【００３７】
図において、開口部１２１の周縁部には表示パネル１１０とカバーパネル１２０との間に２つの接着部材１３０および入力部３００が配置されていない領域Ｂが存在する。表示パネル１１０が表示する映像は、２つの接着部材１３０、入力部３００、およびカバーパネル１２０を透過することを前提としているので、この領域Ｂを通った光は全体としての映像に悪影響を与えるおそれがある。すなわち、接着部材１３０等の有無による光の屈折率の違いから、表示パネル１１０が出射した映像光の表示ずれ等の問題を生じるおそれがある。そこで、非表示領域１２３はこの領域Ｂ全体を含むように形成されることが好ましい。
【００３８】
このようにして各種部材を配置することにより、表示パネル１１０を用いた映像の表示およびデバイス４００を用いた情報の入出力を適切に行う電子機器１を構成することができる。
【００３９】
（非表示領域の具体例）
本実施形態に係る電子機器１においてカバーパネル１２０に設けられる非表示領域１２３の具体例について、図４を用いて説明する。図４は、非表示領域１２３の具体例を示す模式図である。
【００４０】
図４は、カバーパネル１２０のうち、開口部１２１の周辺部を拡大したものである。図において黒色の部分が非表示領域１２３を示している。図に示すように、非表示領域１２３は、開口部１２１の周囲に設けられており、該非表示領域１２３が重畳した表示パネル１１０の領域を覆っている（表示領域が隠される）。
【００４１】
以上の構成によって、本実施形態に係る電子機器１はデバイス４００の位置や大きさを考慮することなく表示パネル１１０の大きさを決定することができるので、例えば電子機器１の一面全体となるような大きさの表示パネル１１０を該電子機器に用いることができる。したがって、設計の自由度の増した電子機器１等を実現することができるという効果を奏する。
【００４２】
図５を用いて、図３の各図とは別の接合例について説明する。図５は、固定部材１２２の別の形状の例を示す模式図である。
【００４３】
図示の例において、基本的な構成は図３の各図と同一であるが、固定部材１２２の形状が異なっている。具体的には、図に点線枠で示した固定部材１２２の一部が、カバーパネル１２０の裏面に対向するよう突出する形状で構成されている。この場合は、固定部材１２２を表示パネル１１０と接合しなくても、該固定部材１２２の突出部分がカバーパネル１２０によって固定されるので、固定部材１２２が開口部１２１から剥離することを抑制することができる。このとき、例えば固定部材１２２をカバーパネル１２０とボンド等によって接合し、より強固に固定してもよい。
【００４４】
〔変形例〕
前記実施形態１において、電子機器１は表示パネル１１０の全体に映像を表示するものであり、開口部１２１およびその周囲に設けられた非表示領域１２３が重畳した領域については映像が非表示となる構成であった。しかしながら、例えば表示を所望する映像の全体をユーザが視認できるよう、表示パネル１１０の一部領域に該映像の全体を縮小して表示することができる構成であってもよい。
【００４５】
本発明の変形例について、図６を用いて説明する。図６は、変形例に係る電子機器１において表示パネル１１０内の矩形領域に画像を縮小表示する概要を示す模式図である。図６の（ａ）は第１表示領域および第２表示領域に画像を表示する例を示し、図６の（ｂ）は第２表示領域に画像を縮小表示する例を示す。なお、以下の説明において表示パネル１１０は、少なくとも一部に開口部１２１が形成されている第１表示領域Ｄ１と、第１表示領域Ｄ１以外の表示領域である、矩形の第２表示領域Ｄ２とを含んでいる。
【００４６】
図６の（ａ）は、第１表示領域Ｄ１および第２表示領域Ｄ２の両方を含めた表示パネル１１０の全体に、塔の映像が表示されている例を示している。図に示すように、開口部１２１の周辺については塔の映像を視認することができない。
【００４７】
図６の（ｂ）は図６の（ａ）に対して、第１表示領域は映像の表示に使用せず、第２表示領域Ｄ２に塔の映像の全体を縮小して表示する例を示している。図に示すように、第２表示領域Ｄ２には開口部１２１およびその周辺が含まれないので、塔の全体を視認することができる。
【００４８】
本変形例については、例えば表示制御処理部２１０が第２表示領域Ｄ２に映像を縮小して表示するよう表示部１００を制御するよう構成することによって実現できる。表示制御処理部２１０は、通常は第１表示領域Ｄ１および第２表示領域Ｄ２の両方を含めた表示パネル１１０の全体に映像を表示し、必要に応じて第２表示領域Ｄ２に映像の全体を縮小して表示するように切り替えが可能であってもよい。例えば、表示制御処理部２１０は入力部３００が所定の入力を受け付けた場合に表示の切り替えを行ってもよい。これにより、例えば映像を表示パネル１１０の全体に表示した場合はデバイス４００等によって表示内容を確認できなかった場合に、矩形の第２表示領域Ｄ２に縮小して映像を表示することで該映像の全体を確認することができる。
【００４９】
前記実施形態１において、デバイス４００が指紋センサである例を挙げたが、該デバイス４００は例えば制御部２００の指示にしたがって所定の情報を出力する構成であってもよい。例えば、デバイス４００は色や点滅速度等を異ならせて発行することが可能なＬＥＤライトであってもよい。
【００５０】
また、電子機器１は複数の異なる種類のデバイス４００を備えてもよい。複数のデバイス４００を備える電子機器１の概要について、図７を用いて説明する。図７は、変形例に係る電子機器１の概要を示す模式図である。図示の例において、電子機器１のカバーパネル１２０は２つの開口部１２１が形成されており、開口部１２１のそれぞれにはデバイス４００が配置されている。ここで、２つの開口部１２１の大きさや位置は、開口部１２１に配置されるデバイス４００の種類や目的に応じて異ならせてもよい。
【００５１】
〔ソフトウェアによる実現例〕
電子機器１の制御ブロック（特に表示制御処理部２１０）は、集積回路（ＩＣチップ）等に形成された論理回路（ハードウェア）によって実現してもよいし、ソフトウェアによって実現してもよい。
【００５２】
後者の場合、電子機器１は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００５３】
〔まとめ〕
本発明の態様１に係る表示装置は、電子機器に備えられた表示装置であって、前記表示装置は、映像を表示する表示パネルと、前記表示パネルの前面に重畳して配置され、該表示パネルを保護するカバーパネルと、を備えており、前記カバーパネルは、少なくとも一部に開口部が形成されており、該開口部には所定の情報の入出力を行うためのデバイスが設けられている、構成である。
【００５４】
前記の構成によれば、電子機器はカバーパネルの開口部に設けられたデバイスを用いた情報の入出力を、例えば映像の表示と並列に実行することができる。また、デバイスの位置や大きさを考慮することなく表示パネルの大きさを決定することができるので、例えば電子機器の一面全体となるような大きさの表示パネルを該電子機器に用いることができる。したがって、設計の自由度の増した表示装置を実現することができるという効果を奏する。
【００５５】
本発明の態様２に係る表示装置は、前記態様１において、前記デバイスは不透明な固定部材によって前記開口部に固定されており、前記固定部材は、前記デバイスと前記開口部との間の隙間に配置されている、構成としてもよい。前記の構成によれば、デバイスと開口部との間の隙間には不透明な固定部材が配置されるので、該隙間から表示装置内部の光が漏れ出ることを抑制することができる。
【００５６】
本発明の態様３に係る表示装置は、前記態様１または２において、前記表示パネルと前記カバーパネルとが、接着部材によって互いに接着されており、前記カバーパネルは、前記開口部の周囲に、重畳した前記表示パネルの領域を非表示とする非表示領域を備えており、前記非表示領域は、少なくとも前記表示パネルと前記カバーパネルとの間に前記接着部材が配置されていない領域を非表示とする、構成としてもよい。
【００５７】
前記の構成によれば、電子機器は表示パネルとカバーパネルとの間に接着部材が配置されていない領域について、非表示領域を用いて表示パネルの映像を非表示とすることができる。これにより、例えば接着部材の有無によって光の屈折率が異なることによる映像の表示のずれを視認できないようにすることができる。
【００５８】
本発明の態様４に係る表示装置は、前記態様１から３のいずれかにおいて、前記デバイスは、ユーザの指紋を検出する指紋センサである、構成としてもよい。前記の構成によれば、電子機器は表示パネルと指紋センサとを同一面に配置することができる。これにより、例えば指紋センサを表示パネルとは反対側の面に配置した電子機器とは異なり、電子機器を机上に置いた状態で映像の表示と指紋の検出とを同時に行うことができる。
【００５９】
本発明の態様５に係る表示装置を制御する制御装置は、前記態様１から４のいずれかの表示装置を制御する制御装置であって、前記表示パネルに映像を表示するよう前記表示装置を制御する表示制御処理部を備えている、構成としてもよい。前記の構成によれば、電子機器はデバイスの配置を考慮することなく表示パネルに映像を表示することができる。
【００６０】
本発明の態様６に係る制御装置は、前記態様５において、前記デバイスとの間で情報の送受信を行い、該デバイスに所定の情報を入出力させる、構成としてもよい。前記の構成によれば、電子機器は映像の表示と所定の情報の入出力とを実行することができる。
【００６１】
本発明の態様７に係る制御装置は、前記態様５または６において、前記表示制御処理部は、前記表示パネルのうち、前記開口部に重畳する領域には映像を表示しないよう前記表示装置を制御する、構成としてもよい。
【００６２】
前記の構成によれば、電子機器は表示パネルのうち、カバーパネルの開口部が重畳する領域、すなわちデバイスが重畳して配置される領域に映像を表示しない。デバイスが重畳する領域に対する映像の表示を抑制することにより、無駄な電力の消費を抑制することができる。
【００６３】
本発明の態様８に係る制御装置は、前記態様５から７のいずれかにおいて、前記表示パネルは、少なくとも一部に前記開口部が形成されている第１表示領域と、前記第１表示領域以外の表示領域である、矩形の第２表示領域と、を含み、前記表示制御処理部は、前記第２表示領域に前記映像を縮小して表示するよう前記表示装置を制御する、構成としてもよい。
【００６４】
前記の構成によれば、電子機器は表示パネルに含まれる矩形の第２表示領域に映像を縮小して表示することができる。これにより、例えば映像を表示パネル全体に表示した場合はデバイス等によって表示内容を確認できなかった場合は矩形領域に縮小して表示することで確認することができる。
【００６５】
本発明の態様９に係る電子機器は、少なくとも１つの表示装置と、少なくとも１つの制御装置とを備える電子機器であって、前記表示装置は、映像を表示する表示パネルと、前記表示パネルの前面に重畳して配置され、該表示パネルを保護するカバーパネルと、を備えており、前記カバーパネルは、少なくとも一部に開口部が形成されており、該開口部には所定の情報の入出力を行う、前記電子機器で使用するデバイスが設けられており、前記制御装置は、前記表示パネルに映像を表示するよう制御するとともに前記デバイスから前記情報の入出力を行う、構成である。前記の構成によれば、前記態様１と同様の作用効果を奏する。
【００６６】
本発明の各態様に係る制御装置は、コンピュータによって実現してもよく、この場合には、コンピュータを前記制御装置が備える各部（ソフトウェア要素）として動作させることにより前記制御装置をコンピュータにて実現させる制御装置の制御プログラム、およびそれを記録したコンピュータ読み取り可能な記録媒体も、本発明の範疇に入る。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６８】
１  電子機器
１００  表示部（表示装置）
１１０  表示パネル
１２０  カバーパネル
１２１  開口部
１２２  固定部材
１２３  非表示領域
１３０  接着部材
２００  制御部（制御装置）
２１０  表示制御処理部
３００  入力部
４００  デバイス
【図１】
2020024289.tif 000003
【図２】
2020024289.tif 000004
【図３】
2020024289.tif 000005
【図４】
2020024289.tif 000006
【図５】
2020024289.tif 000007
【図６】
2020024289.tif 000008
【図７】
2020024289.tif 000009